(57)【特許請求の範囲】
【請求項１】
第１のカードと第２のカードとが選択的にカードの表面と平行な向きで挿入される挿入口を有する筐体と、前記筐体の内部に設けられて、前記第１のカードが当たる当接部を有する基準ストッパ部と、前記当接部よりも前記挿入口側で前記第２のカードが当たるストッパ面を有する可動ストッパ部と、前記筐体の内部に有って前記第１のカードの外部接続部に接続される第１の接続端子および前記第２のカードの外部接続部に接続される第２の接続端子とを有しており、
前記当接部よりも筐体の奥側に、カードの挿入方向と直交して延びるガイド部が設けられ、前記可動ストッパ部が、前記ガイド部に案内されて移動可能であり、
前記基準ストッパ部は、前記ガイド部による案内経路上に位置し、いずれのカードも挿入されていないときに、前記可動ストッパ部が、付勢部材に付勢されて、前記基準ストッパ部に当たる規制位置に有り、
前記挿入口から挿入される第２のカードは、規制位置にある前記可動ストッパ部の前記ストッパ面に当たって位置決めされ、前記第１のカードが挿入されると、その挿入力によって前記可動ストッパ部が前記規制位置から前記付勢部材の付勢方向と逆方向へ移動させられて、前記第１のカードが前記当接部に当たる位置まで移動するのを許容する規制解除位置に設定されることを特徴とするカードコネクタ。
【請求項２】
前記可動ストッパ部よりも前記挿入口側に回動支点を有して回動自在な回動部材が設けられ、前記回動部材が前記可動ストッパ部と連結されており、前記第１のカードが挿入されたときは、この第１のカードによって前記回動部材が回動させられて、前記可動ストッパ部が前記規制位置から前記規制解除位置へ移動させられる請求項１記載のカードコネクタ。
【請求項３】
前記第１のカードには、前記可動ストッパ部の一部が入り込む溝が形成されており、前記可動ストッパ部の前記溝に入り込む部分に、前記第２のカードが当たる前記ストッパ面が形成されている請求項１または２記載のカードコネクタ。
【請求項４】
筐体内には、カードの挿入方向へ向けて移動するスライダと、前記スライダを前記挿入口側へ付勢する付勢部材と、前記スライダをカードの挿入方向へ移動した位置でロックするロック機構とが設けられており、
前記基準ストッパ部および前記ガイド部が前記スライダに設けられ、前記可動ストッパ部が、前記スライダに動作可能に搭載されている請求項１ないし３のいずれかに記載のカードコネクタ。
【請求項５】
前記基準ストッパ部と前記可動ストッパ部および前記スライダが、前記挿入口から挿入されるカードの表面と平行な上面を有しており、前記基準ストッパ部の前記上面と前記可動ストッパ部の前記上面および前記スライダの前記上面が同一面上に位置している請求項４記載のカードコネクタ。
【発明の詳細な説明】
【技術分野】
【０００１】
本発明は、形状の相違する少なくとも２種類の電子機能カードが選択的に装着されるカードコネクタに関する。
【背景技術】
【０００２】
以下の特許文献に記載のように、デジタルカメラやデジタルビデオカメラ、またはパーソナルコンピュータなどには、メモリカードと称される小型で薄型の電子機能カードが装着されて使用される。この電子機能カードは、合成樹脂材料で形成された小型で薄型のケース（ハウジングと称されることもある）内に、メモリチップや、メモリコントローラなどとして機能するＩＣチップなどが収納されている。そして、ケースの裏面に、内部の電子回路に導通する複数の外部接続部が設けられている。
【０００３】
この種の電子機能カードには、ケースの形状が異なった複数種類のものが存在しており、形状の相違するカードは、内部に設けられたメモリチップの記憶容量が相違し、またはインターフェース仕様が相違している。
【０００４】
以下の特許文献３に記載のカードコネクタは、形状の相違する２種類のカードが選択的に装着されるものである。このカードコネクタは、筐体内にカードの挿入方向へ移動するスライダと、このスライダを挿入口側へ付勢している付勢部材と、カードと共に筐体の奥側へ押し込まれたスライダをロックするロック機構とが設けられている。スライダには当接部が一体に形成されているとともに、前記スライダに支持されてカードの挿入方向と直交する方向へ移動するストッパ部材と、前記スライダに回動自在に支持されて、前記ストッパ部材を移動させるアーム部材とが設けられている。
【０００５】
縦方向の長さ寸法の大きい長尺のカードが挿入されると、このカードの先部でアーム部材が回動させられて、ストッパ部材がカードと当たらない位置に退避し、長尺のカードはストッパ部材よりも奥に挿入されて前記当接部に当接する。そのまま、カードを押し込むとスライダが奥側へ移動してロックされ、カードに設けられた外部接続部がカードコネクタに設けられた第１の接続端子に接続される。
【０００６】
一方、縦方向の長さ寸法の小さい短尺のカードは、正常な姿勢で挿入されたときに、前記アーム部材に対向する欠損部を有している。この短尺のカードが正常な姿勢で装着されると、前記欠損部がアーム部材に対向するためにアーム部材が回動することがなく、カードの先端部がスライダに設けられた前記当接部に当たる。そのままカードが押し込まれると、カードと共に奥側へ移動したスライダがロックされ、短尺のカードに設けられた外部接続部がカードコネクタに設けられた第２の接続端子に接続される。
【特許文献１】特開２００２−２１６９０６号公報
【特許文献２】特開２００３−２０８９４７号公報
【特許文献３】特開２００７−１６５２２９号公報
【発明の開示】
【発明が解決しようとする課題】
【０００７】
前記特許文献３に記載のカードコネクタは、短尺のカードの挿入を規制するストッパ部材が、長尺のカードが当たる当接部よりも挿入口側に位置しており、このストッパ部材を動作自在に案内しているスライド溝も、前記当接部よりも挿入口側に設けられている。よって、当接部とストッパ部材は、筐体内においてカードの挿入方向に長い距離を空けて配置されていることになり、筐体の奥行き寸法を長くすることが必要になって、筐体の小型化を実現しにくくなる。
【０００８】
また、当接部に当たって位置決めされる長尺のカードの先端部と、前記ストッパ部に当たって位置決めされる短尺のカードの先端部とが、筐体内で前後に離れて位置することになるため、長尺のカードと短尺のカードの長さ寸法の差が小さい場合には、短尺カードが筐体内に装着されたときにそのカードの後端部が、挿入口から手前側に大きく突出することも有り得る。
【０００９】
また、ストッパ部材を動作自在に指示するガイド溝は、長尺のカードが通過する領域に設けられているため、ガイド溝は、長尺のカードと重なるように配置されることになり、カードコネクタの薄型化を阻害する原因となる。また、ガイド溝およびストッパ部材を前後に長く形成することができないため、ストッパ部材の動きをスムーズにするのが難しい。
【００１０】
本発明は、上記従来の課題を解決するものであり、少なくとも２種類のカードが装着可能なカードコネクタであって、２種類のカードをその先端部が前後に大きく離れない位置で位置決めでき、また可動ストッパ部を安定して動作させることができるとともに、全体の薄型化も可能なカードコネクタを提供することを目的としている。
【課題を解決するための手段】
【００１１】
本発明は、第１のカードと第２のカードとが選択的にカードの表面と平行な向きで挿入される挿入口を有する筐体と、前記筐体の内部に設けられて、前記第１のカードが当たる当接部を有する基準ストッパ部と、前記当接部よりも前記挿入口側で前記第２のカードが当たるストッパ面を有する可動ストッパ部と、前記筐体の内部に有って前記第１のカードの外部接続部に接続される第１の接続端子および前記第２のカードの外部接続部に接続される第２の接続端子とを有しており、
前記当接部よりも筐体の奥側に、カードの挿入方向と直交して延びるガイド部が設けられ、前記可動ストッパ部が、前記ガイド部に案内されて移動可能であり、
前記基準ストッパ部は、前記ガイド部による案内経路上に位置し、いずれのカードも挿入されていないときに、前記可動ストッパ部が、付勢部材に付勢されて、前記基準ストッパ部に当たる規制位置に有り、
前記挿入口から挿入される第２のカードは、規制位置にある前記可動ストッパ部の前記ストッパ面に当たって位置決めされ、前記第１のカードが挿入されると、その挿入力によって前記可動ストッパ部が前記規制位置から前記付勢部材の付勢方向と逆方向へ移動させられて、前記第１のカードが前記当接部に当たる位置まで移動するのを許容する規制解除位置に設定されることを特徴とするものである。
【００１２】
本発明のカードコネクタは、可動ストッパ部が、基準ストッパ部と第１のカードとの当接部よりも奥側に設けられたガイド部に案内されて規制位置と規制解除位置との間で移動する。しかも可動ストッパ部のストッパ面は、前記当接部よりも挿入口側に位置している。そのために、当接部とストッパ面とを前後に接近した位置に配置することができ、筐体の奥行き寸法を小さくしやすい。また正常に装着された第１のカードの後端部の位置と、正常に装着された第２のカードの後端部の位置とが前後に大きく相違するのを防止しやすい。さらに、ガイド部は当接部よりも奥側に設けられているため、ガイド部を前後に比較的大きなものにしやすく、よって、可動ストッパ部の動作も安定する。
【００１３】
また、ガイド部は第１のカードと重なることがないため、筐体の厚さ寸法も小さくしやすい。
【００１４】
なお、本発明のカードコネクタは、筐体内に、第１のカードと第２のカード以外の他の形状のカードがさらに選択的に挿入されるものであってもよい。
【００１５】
例えば、本発明は、前記可動ストッパ部よりも前記挿入口側に回動支点を有して回動自在な回動部材が設けられ、前記回動部材は前記可動ストッパ部と連結されており、前記第１のカードが挿入されたときは、この第１のカードによって前記回動部材が回動させられて、前記可動ストッパ部が前記規制位置から前記規制解除位置へ移動させられるものである。
【００１６】
ただし、本発明は、前記回動部材が設けられておらず、第１のカードが挿入されるときに、第１のカードが可動ストッパ部に直接に当たり、第１のカードが挿入される力の分力で、可動ストッパ部が規制解除部に移動させられるものであってもよい。
【００１７】
また、本発明は、前記第１のカードには、前記可動ストッパ部の一部が入り込む溝が形成されており、前記可動ストッパ部の前記溝に入り込む部分に、前記第２のカードが当たる前記ストッパ面が形成されているものが好ましい。
【００１８】
可動ストッパ部に、第１のカードの溝に入り込む部分があり、この部分にストッパ面が設けられていると、第２のカードと可動ストッパ部との当接面積を広くでき、第２のカードによって可動ストッパ部が確実に押し込まれるようになる。
【００２０】
また、本発明は、筐体内には、カードの挿入方向へ向けて移動するスライダと、前記スライダを前記挿入口側へ付勢する付勢部材と、前記スライダをカードの挿入方向へ移動した位置でロックするロック機構とが設けられており、
前記基準ストッパ部および前記ガイド部が前記スライダに設けられ、前記可動ストッパ部が、前記スライダに動作可能に搭載されているものである。
【００２１】
なお本発明では、前記基準ストッパ部とガイド部および可動ストッパ部が、スライダに搭載されているのではなく、筐体の内部の所定位置にそれぞれ配置されているものであってもよい。
【００２２】
また、本発明は、前記基準ストッパ部の上面と、前記可動ストッパ部の上面、および前記スライダの上面が、同一面上に位置していることが好ましい。
【００２３】
上記構成では、スライダの厚さ範囲内に、基準ストッパ部、ガイド部および可動ガイド部を配置できるため、カードコネクタの薄型化が可能である。さらに回動部材もスライダの厚さ範囲内に配置することもできる。
【発明の効果】
【００２４】
本発明のカードコネクタは、可動ストッパ部の動きが安定でき、また筐体の奥行き寸法を小さくできる。よって、第１のカードと第２のカードとで縦方向の長さ寸法の差がわずかであっても、第１のカードの後端部と第２のカードの後端部がほぼ同じ位置となるように、第１のカードと第２のカードを位置決めすることもできる。
【発明を実施するための最良の形態】
【００２５】
図１はカードコネクタの外観を示す斜視図、図２は第１のカードが正常に装着されたときのカードコネクタを蓋体を外して示す斜視図、図３は第１のカードが前後逆向きに装着されたときのカードコネクタを蓋体を外して示す斜視図である。図４は、カードが装着されていないカードコネクタを前方から見た正面図、図５はカードが装着されていないカードコネクタを蓋体を外して示す平面図である。図６と図７は第１のカードが装着されるときのカードコネクタを蓋体を外して動作別で示す平面図である。図８は第２のカードが装着されたときのカードコネクタを蓋体を外して示す平面図である。図９はスライダと回動部材を示す斜視図である。図１０は第１のカードの平面図、図１１は第１のカードの左側面図、図１２は第１のカードを斜め下側から示す斜視図である。図１３は第２のカードの平面図である。
【００２６】
（第１のカードの形状）
図１０ないし図１２に示される第１のカードＣ１は、いわゆるマルチメディアカードなどのメモリデバイスとして使用されるものである。第１のカードＣ１は、プラスチック製のケース１を有しており、このケース１内に、フラッシュメモリなどのメモリチップや、メモリコントローラとして機能するＩＣチップなどが収納されている。
【００２７】
図１１に示すように、ケース１は、第１の面である表面１ａと第２の面である裏面１ｂを有している。表面１ａと裏面１ｂは互いに平行な平面であり、表面１ａと裏面１ｂの間隔が第１のカードＣ１の厚み寸法Ｔ１である。図１２に示すように、裏面１ｂの前方には、複数個（１３個）の外部接続部５が露出している。外部接続部５の表面はケース１の裏面１ｂとほぼ同一面である。
【００２８】
ここで、「表面」と「裏面」とは外部接続部５を有する面と有しない面を識別するための便宜上の名称であり、カードコネクタ２０に対し、表面１ａを上向きにして装着してもよいし、裏面１ｂを上向きにして装着してもよい。
【００２９】
図１０ないし図１２に示すように、ケース１は前端部１ｃと、後端部１ｄを有している。また右側部１ｅと左側部１ｆを有している。
【００３０】
図１１に示すように、前端部１ｃは、表面１ａと垂直な平面であり、表面１ａと裏面１ｂとの角部には前方傾斜面２が形成されている。後端部１ｄは、表面１ａおよび裏面１ｂと垂直な平面である。右側部１ｅと左側部１ｆは、表面１ａおよび裏面１ｂと垂直な平面である。図１０に示すように、前端部１ｃと右側部１ｅとの境界部および前端部１ｃと左側部１ｆとの境界部、すなわち前端部１ｃの左右両側部には、円筒面の一部である前方コーナー曲面３，３が形成されている。後端部１ｄと右側部１ｅとの境界部および後端部１ｄと左側部１ｆとの境界部、すなわち後端部１ｄの左右両側部にも、円筒面の一部である後方コーナー曲面４，４が形成されている。
【００３１】
図１０に示すように、ケース１を表面１ａ側から見た平面図では、ケース１の形状は前後に延びる中心線Ｏ−Ｏを介して左右に対称の形状である。そして、前端部１ｃから後端部１ｄまでの寸法である縦方向の長さ寸法Ｌ０が、右側部１ｅから左側部１ｆまでの寸法である幅寸法Ｗ０よりも長い長方形状である。
【００３２】
ケース１の前方部分では、右側部１ｅと左側部１ｆから中心線Ｏ−Ｏに向けて窪む案内溝６，６が形成されている。案内溝６，６は、右側部１ｅおよび左側部１ｆと平行で且つ右側部１ｅおよび左側部１ｆから中心線Ｏ−Ｏに向けて距離Ｗ１だけ内側に位置する内側面６ａ，６ａと、裏面１ｂと平行な内底面６ｃ，６ｃとを有している。そして、右側の案内溝６の後端部と右側部１ｅとの間、および左側の案内溝６の後端部と左側部１ｆとの間には、それぞれ傾斜部６ｂ，６ｂが形成されている。傾斜部６ｂ，６ｂは、後方に向かうにしたがって中心線Ｏ−Ｏから徐々に離れる面であり平面または曲率を有する曲面である。
【００３３】
図１１に示すように、案内溝６，６は、ケース１の表面１ａから裏面１ｂに向けて窪んでいる。ケース１の表面１ａから案内溝６の内底面６ｃまでの距離、すなわち案内溝６，６の表面１ａから裏面１ｂに向けた深さ寸法ｔ１は、第１のカードＣ１の全体の厚み寸法Ｔ１のほぼ１／２である。また、前記案内溝６，６が表面１ａから窪んで形成された結果、それよりも裏面側には、裏面１ｂと前記内底面６ｃ，６ｃとで挟まれた部分である薄肉部７，７が形成されている。この薄肉部７，７の厚さ寸法ｔ２も、第１のカードＣ１の全体の厚み寸法Ｔ１のほぼ１／２である。
【００３４】
案内溝６，６は、前端部１ｃの左右両側部にて前方に開放されている。よって、図１２に示すように、前端部１ｃの厚さ寸法は、その中央のほとんどの部分がＴ１であるが、両側部においては、厚さ寸法はｔ２である。
【００３５】
ケース１の右側部１ｅと左側部１ｆでは、案内溝６，６の後端部よりも後方位置に、掛止凹部８，８が形成されている。掛止凹部８，８は、右側部１ｅおよび左側部１ｆよりも中心線Ｏ−Ｏ側に位置し且つ右側部１ｅおよび左側部１ｆと平行な内側端８ａ，８ａを有している。右側部１ｅから内側端８ａまでの幅寸法ならびに左側部１ｆから前内端８ｂまでの幅寸法Ｗ２は、前記案内溝６，６の幅寸法Ｗ１とほぼ同じである。また、掛止凹部８，８は前内端８ｂと後内端８ｃを有している。
【００３６】
図１１と図１２に示すように、掛止凹部８，８は内底端８ｄ，８ｄを有しており、この内底端８ｄ，８ｄは、裏面１ｂと平行である。表面１ａから内底端８ｄ，８ｄまでの寸法が、掛止凹部８，８の深さ寸法ｔ３であり、この深さ寸法ｔ３は、前記案内溝６の深さ寸法ｔ１よりもわずかに大きい。
【００３７】
この第１のカードＣ１がカードコネクタ２０に装着される際に、板ばねで形成された保持部５３（図２参照）が、案内溝６内を通過して掛止凹部８に嵌合し、第１のカードＣ１がカードコネクタ２０内のスライダ４１に保持される。図１０に示すように、案内溝６，６の後端部に傾斜部６ｂ，６ｂが形成されているため、案内溝６内を通過した保持部５３が、傾斜部６ｂ，６ｂに導かれてスムースに掛止凹部８，８内に嵌合する。
【００３８】
さらに、図１１に示すように、掛止凹部８，８の深さ寸法ｔ３は、案内溝６，６の深さ寸法ｔ１よりも大きいため、案内溝６，６内を通過した保持部５３が、掛止凹部８，８に入り込みやすくなる。
【００３９】
図１０に示すように、ケース１の後端部１ｄよりも少し内側には、表面１ａから窪む摘み凹部９が形成されている。図１に示すように、第１のカードＣ１がカードコネクタ２０に装着されると、前記摘み凹部９を有する後端部分が、カードコネクタ２０から突出する。この摘み凹部９に指の爪を掛けるなどして、第１のカードＣ１をカードコネクタ２０から引き出すことができる。
【００４０】
（第２のカードの形状）
図８に示すように、カードコネクタ２０には、前記第１のカードＣ１の他に第２のカードＣ２が装着可能である。
【００４１】
第２のカードＣ２は、プラスチック製のケース１１を有しており、ケース１１内に、フラッシュメモリなどのメモリチップや、メモリコントローラとして機能するＩＣチップなどが収納されている。
【００４２】
図１３に示すように、ケース１１は、図１３の紙面手前に向けられている表面１１ａとこれに対向する裏面を有している。ケース１１は、前端部１１ｃと後端部１１ｄおよび右側部１１ｅと左側部１１ｅを有しており、前端部１１ｃと後端部１１ｄと右側部１１ｅおよび左側部１１ｅは、いずれも前記表面１１ａおよび裏面と垂直な端面である。そして、裏面の前方部分には、ケース１１内の回路に導通する外部接続部が複数設けられている。
【００４３】
第２のカードＣ２の縦方向の長さ寸法Ｌ３は、図１０に示す第１のカードＣ１の縦方向の長さ寸法Ｌ０よりも短い。第２のカードＣ２は、右側部１１ｅの前方部分に欠損部１６が形成されており、この欠損部１６の後端部には傾斜部１６ｂが形成されている。欠損部１６はケース１１を厚さ方向へ貫通して形成されている。その結果、第２のカードＣ２は、傾斜部１６ｂよりも後方での幅寸法Ｗ３よりも、欠損部１６が形成されている前方部分の幅寸法Ｗ４の方が短い。
【００４４】
前記幅寸法Ｗ３と幅寸法Ｗ４は、共に第１のカードＣ１の幅寸法Ｗ０よりも短い。また、幅寸法Ｗ３と幅寸法Ｗ４との差、すなわち欠損部１６の幅寸法は、第１のカードＣ１の案内溝６の幅寸法Ｗ１よりもやや広い。
【００４５】
ケース１１の前端部１１ｃの左右両側には、前方コーナー曲面１３，１３が形成されており、後端部１１ｄの左右両側部には、後方コーナー曲面１４，１４が形成されている。
【００４６】
第２のカードＣ２の右側部には、前記傾斜部１６ｂよりも後方に位置する掛止凹部１８が形成されている。この掛止凹部１８は、ケース１１を厚さ方向に貫通して形成されている。掛止凹部１８の縦方向の長さ寸法Ｌ５および幅寸法Ｗ５は、第１のカードＣ１に形成された掛止凹部８の長さ寸法Ｌ４および幅寸法Ｗ２とほぼ同じである。
【００４７】
図１３に示すように、ケース１１の表面１１ａの後端部分には、摘み凹部１９が形成されている。
【００４８】
第２のカードＣ２の厚み寸法は、第１のカードＣ１の厚み寸法Ｔ１よりも小さい。この第２のカードＣ２は、例えば、「microＳＤカード」と称されているものと同じ形状である。
【００４９】
第１のカードＣ１と第２のカードＣ２は、ケース１とケース１１の形状が相違するのみならず仕様も相違している。この仕様の違いは、例えば、駆動電圧の違い、すなわち、電源用の外部接続部を介してケース１，１１内の回路に供給すべき電圧の相違である。または、ケース１とケース１１の内部に収納されているメモリチップのメモリ容量の違いである。
【００５０】
（カードコネクタの構造）
次に、前記各種カードが装着されるカードコネクタ２０の構造を説明する。
【００５１】
図１および図４に示すように、カードコネクタ２０は筐体２１を有している。筐体２１は、合成樹脂製の筐体本体２２と、金属板で形成されて筐体本体２２の上方に被せられた蓋体２３とで構成されている。
【００５２】
図２ないし図４に示すように、筐体本体２２は枠体形状である。筐体本体２２は、前壁部２４、後壁部２５、右壁部２６、左壁部２７および底壁部２８が一体に形成されている。前壁部２４の上面２４ａ、後壁部２５の上面２５ａ、右壁部２６の上面２６ａならびに左壁部２７の上面２７ａは、互いに同一面である。図１と図４に示すように、蓋体２３の天井板２３ａは、筐体本体２２の前記各上面２４ａ，２５ａ，２６ａ，２７ａに密着するように設置されている。蓋体２３には、後側板２３ｂと右側板２３ｃおよび左側板２３ｄが設けられ、これらは天井板２３ａから直角に折り曲げられている。後側板２３ｂは、筐体本体２２の後壁部２５の外面に設置され、右側板２３ｃと左側板２３ｄは、それぞれ筐体本体２２の右壁部２６の外面と左壁部２７の外面に設置されている。
【００５３】
図４に示すように、筐体２１の厚さ寸法は、筐体本体２２の底壁部２８の下面２８ａから、蓋体２３の天井板２３ａの上面までの高さ寸法で決められている。また、カードを案内して収納する収納領域の高さ寸法Ｔａは、筐体本体２２の底壁部２８の上面２８ｂから、蓋体２３の天井板２３ａの下面までの高さ寸法で決められる。この高さ寸法Ｔａは、第１のカードＣ１の厚み寸法Ｔ１とほぼ同じか、または厚み寸法Ｔ１よりもわずかに大きい寸法である。
【００５４】
図２および図４に示すように、筐体本体２２の左壁部２７の内面が案内基準面２７ｂであり、第１のカードＣ１は、その左側部１ｆが前記案内基準面２７ｂを摺動しながら、筐体２１の奥側（（ａ）側）へ向けて挿入される。筐体本体２２の前壁部２４には、右案内面２４ｂが形成されており、第１のカードＣ１の右側部１ｅは、右案内面２４ｂに沿って案内される。
【００５５】
左壁部２７の内面の案内基準面２７ｂと、前壁部２４の右案内面２４ｂとの間隔が、収納領域の幅寸法Ｗａであり、この幅寸法Ｗａは、第１のカードＣ１の幅寸法Ｗ０とほぼ同じか、またはわずかに大きい寸法である。
【００５６】
図４に示すように、筐体２１の前端には、Ｔａ×Ｗａの開口面積の挿入口２９が開口しており、第１のカードＣ１および第２のカードＣ２はいずれもこの挿入口２９から筐体２１の内部に向けて挿入される。
【００５７】
図２と図４に示すように、筐体本体２２の内部では、左壁部２７と一体に形成されて、前記収納領域内に延びる上方案内部３１が設けられている。図４に示すように、底壁部２８の上面２８ｂから上方案内部３１の下面までの高さ寸法Ｔｂは、図１１に示す第１のカードＣ１の薄肉部７の厚さ寸法ｔ２とほぼ同じか、またはそれよりもやや広く形成されている。したがって、図２および図６と図７に示すように、第１のカードＣ１が、前端部１ｃを前方に向け、表面１ａを上に向けた正常な向きで挿入されると、左側部１ｆの前方に形成されている薄肉部７が、上方案内部３１の下側に入り込み、第１のカードＣ１を筐体２１の奥まで装着することができる。ただし、図３に示すように、第１のカードＣ１が、その後端部１ｄを前方に向けて挿入されたり、表裏逆向きに挿入されると、筐体本体２２が、上方案内部３１に当たって、第１のカードＣ１が筐体２１の奥部まで挿入されなくなる。
【００５８】
図４と図５に示すように、前記上方案内部３１よりも手前側には、規制昇降部材３２が設けられている。図４に示すように、規制昇降部材３２は、底壁部２８に形成された切欠き部から上方へ突出し、図示しないばね部材により、規制昇降部材３２は突出姿勢に向けて付勢されている。また、規制昇降部材３２の挿入口２９側に向く面は、傾斜面３２ａとなっている。この傾斜面３２ａは、筐体２１の奥側（（ａ）側）に向かうにしたがって、底壁部２８の上面２８ｂから徐々に高くなる形状である。
【００５９】
図５に示すように、規制昇降部材３２の右側面とスライダ４１の内側面４１ａまでの幅寸法はＷｂである。この幅寸法Ｗｂは、図１０に示す第１のカードＣ１の幅寸法Ｗ０よりも狭く、図１３に示す第２のカードＣ２の後方部分の幅寸法Ｗ３とほぼ同じか、またはそれよりもわずかに広く設定されている。
【００６０】
したがって、図８に示すように、挿入口２９から第２のカードＣ２が挿入されると、この第２のカードＣ２は、規制昇降部材３２とスライダ４１の内側面４１ａとの間を通って筐体２１の奥へ入り込むことができる。また、第１のカードＣ１が挿入口２９から挿入されたときは、第１のカードＣ１の前方傾斜面２および裏面１ｂが、規制昇降部材３２の傾斜面３２ａに乗り上がり、そのときの力によって、規制昇降部材３２が押し下げられる。その後は、押し下げられた規制昇降部材３２の上を第１のカードＣ１が通過して、筐体２１の奥まで移動する。
【００６１】
なお、前記規制昇降部材３２と挿入口２９との間で、左壁部２７の内面である案内基準面２７ｂから右方へ突出する山折り形状の板ばねを設けてもよい。この場合、第２のカードＣ２が挿入されたときは、前記板ばねによって第２のカードＣ２が右方向へ押されることになり、第２のカードＣ２の左側部１１ｆが規制昇降部材３２の右側を通過する位置に案内されやすくなる。また、第１のカードＣ１が挿入されたときには、第１のカードＣ１の左側部１ｆによって板ばねが押されて変形させられ、且つ第１のカードＣ１の裏面１ｂによって規制昇降部材３２が押し下げられる。この板ばねを設けることで、第２のカードＣ２を、図８に示す挿入位置に案内しやすくなる。しかも板ばねを設けることによって、第１のカードＣ１の挿入を妨げることはない。
【００６２】
図２と図５などに示すように、筐体本体２２の右側では、底壁部２８の上面２８ｂに前後方向（（ａ）−（ｂ）方向）に延びるガイド部３４が形成されている。このガイド部３４は、前記上面２８ｂから隆起形成されたレールである。筐体本体２２の右壁部２６の内側にはスライダ４１が設けられており、このスライダ４１が、前記ガイド部３４に沿って、前後方向へ直線的に往復移動自在に支持されている。
【００６３】
スライダ４１の左側部には、内側面４１ａが形成されている。内側面４１ａは、前記前壁部２４に形成された右案内面２４ｂと同じ位置にあり、図５に示すように、左壁部２７に形成された案内基準面２７ｂと前記内側面４１ａまでの幅寸法はＷａである。図６と図７に示すように、案内基準面２７ｂと内側面４１ａとの間で、第１のカードＣ１を案内することができ、図８に示すように、規制昇降部材３２と前記内側面４１ａとの間で、第２のカードＣ２を案内することができる。
【００６４】
スライダ４１と筐体本体２２との間には、コイルばねなどの付勢部材が設けられており、スライダ４１は、前壁部２４に向けて手前側（（ｂ）側）へ付勢されている。
【００６５】
スライダ４１と筐体２１との間には、スライダ４１を奥側（（ａ）側）でロックするためのロック機構３５が設けられている。図５などに示すように、ロック機構３５は、スライダ４１の上面に形成された溝カム４２と、筐体２１に設けられたロックピン３６とで構成されている。
【００６６】
ロックピン３６は、基端部３６ａと先端部３６ｂが直角に折り曲げられている。図５などに示すように、ロックピン３６の基端部３６ａは、筐体本体２２の前壁部２４の上部に形成された保持凹部２４ｃ内に回動自在に支持されている。ロックピン３６の先端部３６ｂは、溝カム４２内に摺動自在に挿入されている。図１に示すように、金属板で形成された蓋体２３の天井板２３ａには、右手前側にロック板ばね３７が一体に形成されている。このロック板ばね３７は、天井板２３ａの一部を切り抜いて形成された片持ち支持ばねである。前記ロックピン３６はこのロック板ばね３７によって押圧され、先端部３６ｂが溝カム４２の溝底部に押し付けられている。
【００６７】
図５などに示すように、スライダ４１に形成された溝カム４２は、奥側（（ａ）側）の端部に位置するロック解除部４２ａと、このロック解除部４２ａよりも手前側（（ｂ）側）に位置するロック部４２ｂを有している。ロック解除部４２ａとロック部４２ｂとの間には、左側に往路溝４２ｃが形成され、右側に復路溝４２ｄが形成されている。溝カム４２の内部では、ロック解除部４２ａ，往路溝４２ｃ，ロック部４２ｂ，復路溝４２ｄの各部の境界部に段差が形成されており、ロックピン３６の先端部３６ｂは、ロック解除部４２ａ→往路溝４２ｃ→ロック部４２ｂ→復路溝４２ｄ→ロック解除部４２ａの順でのみ摺動でき、その逆の行程を辿ることができない。
【００６８】
図５では、スライダ４１が付勢部材によって手前側（（ｂ）側）へ移動させられて、筐体本体２２の前壁部２４に突き当てられている。このとき、ロックピン３６の先端部３６ｂは、溝カム４２のロック解除部４２ａ内に位置している。第１のカードＣ１または第２のカードＣ２が挿入口２９から挿入され、カードと共にスライダ４１が奥側（（ａ）側）へ押し込まれると、図６に示すように、ロックピン３６の先端部３６ｂが、溝カム４２の往路溝４２ｃ内を通過し、その後、図７に示すように、先端部３６ｂが溝カム４２のロック部４２ｂに至り、スライダ４１は手前側（（ｂ）側）へ戻らないようにロックされる。
【００６９】
その後、カードを押してスライダ４１を短い距離だけ奥側（（ａ）側）へ移動させると、ロックピン３６の先端部３６ｂが、溝カム４２のロック部４２ｂから抜け出て、復路溝４２ｄに案内されて、スライダ４１のロックが解除される。よって、スライダ４１は付勢部材の力で、図５に示す初期位置に復帰し、この間に、ロックピン３６の先端部３６ｂが、復路溝４２ｄからロック解除部４２ａに戻る。
【００７０】
図２と図５さらに図９に示すように、スライダ４１には、内側面４１ａよりも奥側（（ａ）側）の上面に窪み部４１ｂが形成されている。この窪み部４１ｂの手前側には上方に突出する支持ピン４３が、合成樹脂材料によってスライダ４１と一体に形成されており、この支持ピン４３に回動部材４４が回動自在に支持されている。
【００７１】
図５および図９に示すように、回動部材４４の基部には、左方向へ一体に突出する誤挿入防止凸部４４ａが設けられている。図９に示すように、誤挿入防止凸部４４ａは、回動部材４４の左側部の上方部分にのみ設けられており、図４に示すように、誤挿入防止凸部４４ａの下面と、筐体本体２２の底壁部２８の上面２８ｂとの間隔の寸法はＴｂであり、これは、前記上面２８ｂから前記上方案内部３１の下面までの高さ寸法と同じである。図４および図９に示すように、回動部材４４には、誤挿入防止凸部４４ａの下側に摺動面４４ｂが形成されている。図４と図５に示すように、回動部材４４が反時計方向へ回動していると、挿入口２９の奥側に前記誤挿入防止凸部４４ａと共に前記摺動面４４ｂが対向している。
【００７２】
図２と図６に示すように、第１のカードＣ１が挿入口２９へ正常な向きで挿入されると、第１のカードＣ１の右側の薄肉部７が、誤挿入防止凸部４４ａの下側へ入り込み、また薄肉部７の先端の前方コーナー曲面３が、前記摺動面４４ｂに当接して、第１のカードＣ１の挿入力で回動部材４４が時計方向へ回動させられる。一方、図８に示すように、第２のカードＣ２が正常な向きで挿入されると、この第２のカードＣ２の右前方の欠損部１６が、回動部材４４の誤挿入防止凸部４４ａと摺動面４４ｂの双方に当たることなく、その左側を通過する。よって、回動部材４４が回動することなく、第２のカードＣ２が、回動部材４４の左側の領域に装着される。
【００７３】
図５に示すように、スライダ４１の奥端部には、内側面４１ａよりも左側に張り出している基準ストッパ部４５が一体に形成されている。図４および図９に示すように、基準ストッパ部４５の手前側（（ｂ）側）に向く面が基準ストッパ面４５ａである。
【００７４】
図５と図９に示すように、前記基準ストッパ面４５ａよりも奥側（（ａ）側）で且つスライダ４１の上部には、前記基準ストッパ部４５から右側に向けて直線的に延びるレール状のストッパガイド部４６が一体に形成されている。このストッパガイド部４６には、可動ストッパ部４７が左右方向へ摺動自在に支持されている。図９に示すように、可動ストッパ部４７の上面４７ｂは、前記基準ストッパ部４５の上面４５ｂとほぼ同一面である。また、可動ストッパ部４７の上面４７ｂと基準ストッパ部４５の上面４５ｂは共に、スライダ４１の上面４１ｂとほぼ同一面に位置している。
【００７５】
図９に示すように、可動ストッパ部４７には上面４７ｂから下向き窪む凹部４７ｃが形成されており、凹部４７ｃの底面から上方へ垂直に延びる連結ピン４７ａが一体に形成されている。前記回動部材４４の先部には長穴４４ｃが形成されており、前記連結ピン４７ａが長穴４４ｃ内に摺動自在に挿入されている。よって、スライダ４１上では、回動部材４４の回動動作に伴なって、可動ストッパ部４７が左右方向へ移動する。
【００７６】
図９に示すように、前記支持ピン４３の上面、回動部材４４の上面および前記連結ピン４７ａの上面は、スライダ４１の上面４１ｄとほぼ同じ高さであり、支持ピン４３、回動部材４４および連結ピン４７ａは、スライダ４１の上面４１ｄよりも上方へはほとんど突出していない。
【００７７】
図５に示すように、スライダ４１上では、支持ピン４３の外周に回動付勢部材として機能するトーションばね５１が装着されており、回動部材４４はトーションばね５１によって反時計方向へ付勢されている。図５に示すように、カードが装着されていないときは、回動部材４４が反時計方向に回動し、これに伴なって、可動ストッパ部４７が左方向へ移動して基準ストッパ部４５に当たっている。可動ストッパ部４７は、図５に示す位置が規制位置である。
【００７８】
図９に示すように、可動ストッパ部４７の挿入口２９に向く面は可動ストッパ面４８である。可動ストッパ面４８は、その左側部分が第１のストッパ面４８ａで、それよりも右側が第２のストッパ面４８ｂである。図４に示すように、第１のストッパ面４８ａは、底壁部２８の上面２８ｂから上方へ距離をＴｂだけ空けた位置に形成されている。また第２のストッパ面４８ｂは、それよりも下側に形成されている。
【００７９】
図５および図９に示すように、スライダ４１の手前側（（ｂ）側）の上部には、保持凹部４１ｃが形成されており、この保持凹部４１ｃ内に、保持部材として機能する保持板ばね５２が設けられている。保持板ばね５２は、板ばね材料として機能する金属板で形成されており、Ｕ字状に曲げられて保持凹部４１ｃ内に嵌着されている。
【００８０】
保持板ばね５２の自由端には、保持部５３が一体に形成されており、この保持部５３が、スライダ４１の内側面４１ａよりも図示左側に突出している。保持部５３は、Ｖ字状に曲げられており、手前側（（ｂ）側）に向く部分が傾斜案内部５３ａである。傾斜案内部５３ａは、手前側（（ｂ）側）に向かうにしたがって徐々にカードから離れる向きに傾斜している。保持部５３は奥側（（ａ）側）に向く部分が係止部５３ｂであり、この係止部５３ｂは、前後方向（（ａ）−（ｂ）方向）に対してほぼ直交する向きに形成されている。
【００８１】
図９に示すように、保持部５３は、スライダ４１の内側面４１ａの上方部分において左方向へ突出している。図４に示すように、筐体本体２２の底壁部２８の上面２８ｂから、保持部５３の下縁までの高さ寸法は、前記Ｔｂとほぼ同じか、またはＴｂよりも少しだけ広めに設定されている。
【００８２】
図３および図５に示すように、筐体本体２２の奥側（（ａ）側）には、第１の接続端子５５が設けられている。第１の接続端子５５は、図１２に示した第１のカードＣ１の裏面１ｂに露出している外部接続部５と同じ数で且つ同じピッチで配列している。筐体本体２２の底部奥側には、端子支持板５７が設けられ、この端子支持板５７に複数の小孔５７ａが上下に貫通して形成されている。図３に示すように、第１の接続端子５５は、上向きに山形に折り曲げられており、それぞれが前記小孔５７ａ内から上方へ突出している。第１の接続端子５５は、小孔５７ａ内へ後退できるように弾性変形自在である。
【００８３】
それぞれの第１の接続端子５５には、第１の外部端子５６が一対一の関係で連続して形成されている。図５に示すように、それぞれの第１の外部端子５６は、筐体本体２２の後壁部２５よりも後方へ突出している。第１の接続端子５５と第１の外部端子５６は、個別に連結されており、表面に金などの低抵抗の貴金属材料がメッキされた導電性の金属板で形成されている。
【００８４】
図３と図５に示すように、第１の接続端子５５よりも挿入口２９側には、第２の接続端子５８が設けられている。第２の接続端子５８は、図１３に示す第２のカードＣ２の下面に露出する外部接続部と同じ数で且つ同じピッチで配列している。図３に示すように、筐体本体２２の底部には可動支持板６１が設けられ、この可動支持板６１に複数の小孔６１ａが上下に貫通して形成されている。それぞれの第２の接続端子５８は上向きに山形に折り曲げられて、小孔６１ａから上方へ突出している。
【００８５】
可動支持板６１は、第２の接続端子５８よりも手前側（（ｂ）側）に設けられた軸を支点として上下へ回動自在に支持されている。そして、可動支持板６１は、第２の接続端子５８の弾性力によって上方へ持ち上げられている。
【００８６】
第１のカードＣ１が挿入口２９から挿入されるときは、第１のカードＣ１の前方傾斜面２が可動支持板６１に乗り上がり、第１のカードＣ１の裏面１ｂによって、可動支持板６１が押し下げられる。可動支持板６１が押し下げられて下向きに回動するときに、この可動支持板６１によって、第２の接続端子５８が押し下げられ、それぞれの第２の接続端子５８が、可動支持板６１の小孔６１ａの内部に後退する。よって、第１のカードＣ１の裏面１ｂに設けられた外部接続部５は、第２の接続端子５８に当たることなく、この第２の接続端子５８の上を通過して奥側へ移動する。
【００８７】
一方、図１３に示す第２のカードＣ２が挿入口２９から挿入されると、第２のカードＣ２は、第１のカードＣ１よりも厚み寸法が小さいために、第２の接続端子５８と可動支持板６１によって持ち上げられて、第２のカードＣ２は蓋体２３の天井板２３ａの下面に押し付けられる。そして、それぞれの第２の接続端子５８が、第２のカードＣ２の裏面に設けられた外部接続部に導通される。
【００８８】
図５に示すように、それぞれの第２の接続端子５８には、第２の外部端子５９が一体に形成されており、それぞれの第２の外部端子５９は、筐体本体２２の底部において手前側（（ｂ）側）へ突出している。第２の接続端子５８と第２の外部端子５９は、表面に金などの低抵抗の貴金属材料がメッキされた導電性の金属板で一体に形成されている。
【００８９】
（第１のカードの正常な装着動作）
次に、前記カードコネクタ２０への第１のカードＣ１の装着動作を説明する。
【００９０】
図２と図６および図７は、第１のカードＣ１が正常な向きで装着されるときの動作を示している。
【００９１】
カードが装着されていない状態では、図５に示すように、スライダ４１が挿入口２９側（（ｂ）側）へ移動しており、スライダ４１上では、回動部材４４が反時計方向へ回動し、可動ストッパ部４７が左側へ移動している。このときの回動部材４４の姿勢が第１の姿勢であり、可動ストッパ部４７は規制位置である。
【００９２】
回動部材４４が第１の姿勢のとき、図４に示すように、挿入口２９から筐体２１の内部を見たときに、挿入口２９の奥の右側上部に、可動ストッパ部４７に形成された第１のストッパ面４８ａと第２のストッパ面４８ｂが現れており、その手前に保持板ばね５２で形成された保持部５３が現れている。また、挿入口２９の奥の左側上部に、上方案内部３１が現れており、左側下部には規制昇降部材３２が現れている。また、筐体本体２２の底壁部の上面２８ａからは、可動支持板６１が持ち上がっており、可動支持板６１のそれぞれの小孔６１ａから、第２の接続端子５８が上方へ突出している。
【００９３】
第１のカードＣ１が、その前端部１ｃが前方に向けられ、表面１ａが上に向けられた正常な姿勢で挿入口２９から挿入されると、第１のカードＣ１の筐体１の右側に形成された薄肉部７が、スライダ４１に設けられた保持板ばね５２で形成された保持部５３の下側を通過する。
【００９４】
さらに、右側の薄肉部７が、図９に示されている回動部材４４の誤挿入防止凸部４４ａの下側を通過し、図４に示す高さＴｂの領域内を奥側に向けて移動する。このとき、第１のカードＣ１の右側の前方コーナー曲面３が、回動部材４４の誤挿入防止凸部４４ａの下側に位置する摺動面４４ｂに当たる。第１のカードＣ１が押し込まれると、前方コーナー曲面３で摺動面４４ｂが押され、図２と図６に示すように、回動部材４４が時計方向へ回動させられ、これに伴なって、スライダ４１上の可動ストッパ部４７が右方向へ移動させられる。よって、第１のカードＣ１の右側の薄肉部７の先部は、可動ストッパ部４７に形成されているストッパ面４８のうちの左側に位置する第１のストッパ面４８ａの下側を通過してさらに奥側に移動する。このときの回動部材４４の姿勢が第２の姿勢であり、可動ストッパ４７は規制解除位置である。
【００９５】
一方、第１のカードＣ１の左側前方の薄肉部７は、図４と図５に示される規制昇降部材３２の傾斜面３２ａを摺動して、規制昇降部材３２の上に乗り上がり、規制昇降部材３２が押し下げられる。そして、左側の薄肉部７は、図４に示す底壁部２８の上面２８ｂと、上方案内部３１との間の高さ寸法がＴｂの隙間内に入り込む。そして、図２および図６に示すように、第１のカードＣ１の前端部１ｃが、スライダ４１の奥側に設けられた基準ストッパ部４５の基準ストッパ面４５ａに当たる。
【００９６】
この間、スライダ４１に設けられた保持板ばね５２の保持部５３は、第１のカードＣ１の右側の案内溝６の内部を通過し、すなわち薄肉部７の上を通過して、案内溝６の後方の傾斜部６ｂに当たる。保持部５３は傾斜部６ｂによって右方向へ押されるため、保持板ばね５２が変形して、保持部５３がスライダ４１の保持凹部４１ｃ内に一旦後退する。そして、保持部５３は、第１のカードＣ１の右側部１ｅを摺動し、掛止凹部８に至ると、保持板ばね５２の弾性復帰力によって右側の掛止凹部８の内部に嵌合する。
【００９７】
このとき、保持部５３の手前側に向く傾斜案内部５３ａが、同じ向きに傾斜している傾斜部６ｂを摺動するため、第１のカードＣ１を軽い力で筐体２１内に押し込んで、保持部５３を掛止凹部８に嵌合させることができる。そして、嵌合後は、保持部５３においてカードの挿入方向に対してほぼ直交する向きに形成された係止部５３ｂが、掛止凹部８の前内端８ｂに掛止されるため、第１のカードＣ１が手前方向（（ｂ）方向）へ抜け出にくくなる。
【００９８】
保持部５３が掛止凹部８に嵌合した後に、さらに第１のカードＣ１を押し込むと、第１のカードＣ１の前端部１ｃによって、スライダ４１に形成された基準ストッパ面４５ａが押され、第１のカードＣ１とスライダ４１とが一体となって奥側へ移動する。そして、第１のカードＣ１が図７に示す装着完了位置に至ると、スライダ４１に形成された溝カム４２のロック部４２ｂが、ロックピン３６の先端部３６ｂに係止されて、スライダ４１がその位置でロックされる。
【００９９】
このとき、筐体本体２２の奥側に設けられた第１の接続端子５５のそれぞれが、第１のカードＣ１の裏面１ｂに露出する外部接続部５のそれぞれに弾圧して接続される。なお、このとき、第１のカードＣ１の裏面１ｂによって可動支持板６１が押し下げられ、第２の接続端子５８が可動支持板６１の上面から下側へ後退する。よって、第２の接続端子５８は、第１のカードＣ１の外部接続部５に接触しない。
【０１００】
第１のカードＣ１をカードコネクタ２０から離脱させるときは、図７に示すように、正常に装着されている状態から第１のカードＣ１を奥側（（ａ）側）へ押す。第１のカードＣ１と共にスライダ４１が少しだけ奥側へ移動すると、ロックピン３６の先端部３６ｂが、溝カム４２のロック部４２ｂから外れ、スライダ４１が付勢部材の力で手前側（（ｂ）側）へ戻される。よって、図２および図６に示すように、スライダ４１が初期位置に復帰し、第１のカードＣ１の後端部が挿入口２９から突出させられる。
【０１０１】
（第１のカードの誤挿入）
図３は、第１のカードＣ１が、後端部１ｄを前方に向けて挿入口２９から挿入された状態を示している。
【０１０２】
図４に示すように、回動部材４４の誤挿入防止凸部４４ａは、カードの挿入経路上に位置しているため、第１のカードＣ１の後端部１ｄは、この誤挿入防止凸部４４ａに当たる。そのまま、第１のカードＣ１を押し込むと、回動部材４４が時計方向へ回動し、可動ストッパ部４７が右方向へ移動する。ただし、このときも後端部１ｄが誤挿入防止凸部４４ａに当たったままであり、第１のカードＣ１は、スライダ４１に対してそれ以上は相対的に奥側へ進めなくなる。その後、第１のカードＣ１が押し込まれると、スライダ４１が一緒に奥側へ押し込まれるが、第１のカードＣ１の後端部１ｄが誤挿入防止凸部４４ａに当たったままであるため、第１のカードＣ１が筐体２１内に完全に入り込むことはできない。
【０１０３】
また、第１のカードＣ１と共にスライダ４１が奥側へ押し込まれると、第１のカードＣ１の後端部１ｄが、収納領域の左側に位置する上方案内部３１に当たり、それ以上は、第１のカードＣ１とスライダ４１が奥側へ移動できなくなる。
【０１０４】
そのために、第１のカードＣ１の外部接続部５と筐体２１に設けられた第１の接続端子５５とが接続されるまで第１のカードＣ１が挿入されることはない。このとき、挿入口２９からの第１のカードＣ１の突出量が正常な装着時よりも長くなるため、使用者は第１のカードＣ１を誤挿入したことを認識しやすい。
【０１０５】
また、第１のカードＣ１が、前端部１ｃを前方に向け且つ裏面１ｂを上向きにして挿入口２９から挿入されたときも、図３に示すように、後端部１ｄを前方へ向けて挿入されたときと同じである。
【０１０６】
（第２のカードの正常な挿入動作）
図８は、カードコネクタ２０に第２のカードＣ２が正常に装着された状態を示している。
【０１０７】
第２のカードＣ２は、その幅寸法Ｗ３が、第１のカードＣ１の幅寸法Ｗ０よりも小さい。そのため、第２のカードＣ２が挿入口２９に対して右寄りに偏るようにして挿入されると、第２のカードＣ２は、規制昇降部材３２とスライダ４１の内側面４１ａの間の幅寸法Ｗｂの領域（図５参照）の内部を移動して奥側へ差し込まれる。
【０１０８】
第２のカードＣ２は右側に欠損部１６を有しているため、カードの先端が回動部材４４の誤挿入防止凸部４４ａに当たることがない。そのため、回動部材４４は反時計方向へ回動した第１の姿勢のままであり、可動ストッパ部４７は左側へ移動したままである。そして、第２のカードＣ２の前端部が、可動ストッパ部４７の第１のストッパ面４８ａおよび第２のストッパ面４８ｂ（図４と図９参照）に当たり、このとき、保持板ばね５２の保持部５３が、第２のカードＣ２のケースの右側部を上下に貫通する凹部１８に嵌合する。
【０１０９】
図９に示すように、可動ストッパ部４７のストッパ面４８は、第１のストッパ面４８ａと第２のストッパ面４８ｂを有している。第１のストッパ面４８ａは、第１のカードＣ１が挿入されたときに、この第１のカードＣ１の薄肉部７と重なる位置にまで延びている。このように、第１のストッパ面４８ａが第１のカードＣ１と重なる位置まで左方向へ延びていることにより、第２のカードＣ２が挿入されたときには、その前端部１１ｃが、第１のストッパ面４８ａと第２のストッパ面４８ｂの双方に当たることができる。つまり、第２のカードＣ１の前端部１１ｃと可動ストッパ部４７との当たる面積を、第１のストッパ面４８ａを設けた分だけ広く確保できる。よって、その後、第２のカードＣ２を押し込む際に、第２のカードＣ２と共にスライダ４１を奥側へ確実に押し込めるようになる。
【０１１０】
第２のカードＣ２と共にスライダ４１が筐体２１の奥に押し込まれると、図８に示すように、第２のカードＣ２の左側部は上方案内部３１に当たることなく筐体２１の奥側まで挿入される。よって、ロックピン３６の先端部３６ｂが、溝カム４２のロック部４２ｂに掛止されて、スライダ４１がロックされる。
【０１１１】
第２のカードＣ２の厚さ寸法は、第１のカードＣ１の厚さ寸法よりも小さいために、第２のカードＣ２によって可動支持板６１が押し下げられることはなく、可動支持板６１の小孔６１ａから突出している第２の接続端子５８が、第２のカードＣ２の下面に設けられた外部接続部に個別に接続される。
【０１１２】
（第２のカードの誤挿入）
第２のカードＣ２が、図８に示す向きと前後逆向きで、すなわち後端部１１ｄが挿入口２９に向けられた姿勢で挿入されると、図３に示す第１のカードＣ１の誤挿入時と同様に、ケース１１の後端部１１ｄが、回動部材４４に設けられた誤挿入防止凸部４４ａに当たる。よって、第２のカードＣ２が筐体２１の内部に入り込むことが防止される。このとき、挿入口２９からの第２のカードＣ２の突出量が長くなるため、使用者は誤った向きの挿入であることを認識しやすい。またこのときに、誤挿入を認識できずに誤った姿勢で挿入された第２のカードＣ２をさらに筐体２１の内部に押し込もうとしたときも、カードが誤挿入防止凸部４４ａよりも奥に入り込まないために、挿入口２９からの突出量が長いままであり、誤挿入を認識しやすくなる。
【０１１３】
第２のカードＣ２が、前端部１１ｃを挿入口２９に向け、ただし表面１１ａが下向きとなるように表裏逆向きの姿勢で挿入されたときも、第２のカードＣ２の左側部１１ｆと前端部１１ｃとの境界部付近が誤挿入防止凸部４４ａに当たるために、同様に誤挿入を認識しやすい。
【０１１４】
すなわち、第２のカードＣ２は、欠損部１６が誤挿入防止凸部４４ａに対向する正常な向きで挿入されない限り、第２のカードＣ２の外部接続部が第２の接続端子５８に接続されるまで挿入されることがない。
【０１１５】
この種のカードコネクタでは、第１のカードＣ１の外部接続部５が、第１の接続端子５５に接触したことを制御部が検知することで、第１のカードＣ１が正常な姿勢で装着されたことが認識される。すなわち、この種のカードはいずれかの外部接続部５どうしがカード内で短絡されているため、所定の第１の接続端子５５どうしが短絡したか否かを監視することで第１のカードＣ１が正常な位置に装着されたか否かを検知できる。これは、第２のカードＣ２に関しても同じであり、所定の第２の接続端子５８どうしが短絡したか否かを監視することで、第２のカードＣ２が正常な装着位置に至ったか否かを検知できる。
【０１１６】
ここで、図３に示すように、第１のカードＣ１が誤った姿勢で挿入されたとき、および第２のカードＣ２が誤った姿勢で挿入されたときは、いずれも、カードに設けられた外部接続部が第１の接続端子５５に正常に接続されることがなく、またはカードに設けられた外部接続部が第２の接続端子５８に正常に接続されることはない。よって、第１のカードＣ１が誤った向きで挿入されたとき、および第２のカードＣ２が誤った向きで挿入されたとき、制御部はカードが正常に装着されたと判断しない。
【図面の簡単な説明】
【０１１７】
【図１】本発明の実施の形態のカードコネクタを示す斜視図、
【図２】カードコネクタに第１のカードを挿入した状態を、蓋体を外して示す斜視図、
【図３】カードコネクタに第１のカードが誤った向きで装着された状態を、蓋体を外して示す斜視図、
【図４】カードコネクタを挿入口から示す正面図、
【図５】カードが装着されていないカードコネクタを、蓋体を外して示す平面図、
【図６】第１のカードが装着される途中のカードコネクタを、蓋体を外して示す平面図、
【図７】第１のカードの装着が完了したカードコネクタを、蓋体を外して示す平面図、
【図８】第２のカードの装着が完了したカードコネクタを、蓋体を外して示す平面図、
【図９】カードコネクタに設けられたスライダと回動部材の構造を示す斜視図、
【図１０】第１のカードの平面図、
【図１１】第１のカードの左側面図、
【図１２】第１のカードを下から示す斜視図、
【図１３】第２のカードの平面図、
【符号の説明】
【０１１８】
Ｃ１  第１のカード
Ｃ２  第２のカード
１  第１のカードのケース
１ａ  表面
１ｂ  裏面
１ｃ  前端部
１ｄ  後端部
１ｅ  右側部
１ｆ  左側部
５  外部接続部
６  案内溝
６ｂ  傾斜部
７  薄肉部
８  掛止凹部
１１  第２のカードのケース
１１ａ  表面
１１ｂ  裏面
１１ｃ  前端部
１１ｄ  後端部
１１ｅ  右側部
１１ｆ  左側部
１６  欠損部
１８  掛止凹部
２０  カードコネクタ
２１  筐体
２２  筐体本体
２３  蓋体
２７ｂ  案内基準面
４１  スライダ
４４  回動部材
４４ａ  誤挿入防止凸部
４４ｂ  摺動面
４５  基準ストッパ部
４５ａ  基準ストッパ面
４７  可動ストッパ部
４８  ストッパ面
４８ａ  第１のストッパ面
４８ｂ  第２のストッパ面
５５  第１の接続端子
５８  第２の接続端子
【図１】
0004510067.tif 000002
【図２】
0004510067.tif 000003
【図３】
0004510067.tif 000004
【図４】
0004510067.tif 000005
【図５】
0004510067.tif 000006
【図６】
0004510067.tif 000007
【図７】
0004510067.tif 000008
【図８】
0004510067.tif 000009
【図９】
0004510067.tif 000010
【図１０】
0004510067.tif 000011
【図１１】
0004510067.tif 000012
【図１２】
0004510067.tif 000013
【図１３】
0004510067.tif 000014